(57)【要約】      （修正有）【課題】製品の部品構成の階層が多い場合や部品構成がきれいな３階層構成でない場合においても、不良原因の特定および不良原因の製品への影響範囲の特定が迅速かつ精度良くできることを支援する製造履歴情報管理装置および方法を提供する。【解決手段】工程情報収集手段１１２は、製造にかかわる情報を収集し、製造履歴情報管理制御手段２００に伝送する。製造履歴情報管理制御手段200は収集した情報を製造ロット番号または個体識別番号とを紐付けて蓄積・管理するとともに、工程情報収集手段１１２で収集する情報項目と対応付けて、部材や中間部品とそれらを構成要素とする中間部品や製品との親子関係を予め親子関係テーブルに定義して製造履歴情報蓄積手段３００に格納する。製造ロット番号または個体識別番号が指定されると製造履歴情報管理制御手段２００は、指定された作業工程の表示要求項目のみに編集して製造履歴情報表示手段４００に表示する。【選択図】図１
2011107999.tif 000002
【特許請求の範囲】
【請求項１】
製品の製造ラインを構成する複数工程の製造に関する情報を管理する製造履歴情報管理装置において、
前記情報を収集する工程情報収集手段と、
前記工程情報収集手段が工程単位に収集した情報と製品の製造ロット番号または個体識別番号、中間部品の製造ロット番号、および購入部材の製造ロット番号とを紐付けて蓄積するとともに、前記工程情報収集手段で収集する情報項目と対応付けて、部材や中間部品とそれらを構成要素とする中間部品や製品との親子関係を予め定義した親子関係テーブルを持つ製造履歴情報蓄積手段と、
前記情報を管理・制御する製造履歴情報管理制御手段と、
前記情報を表示する製造履歴情報表示手段と、
を備え、
前記製造履歴情報管理制御手段は、
前記工程情報収集手段が工程単位に収集した情報と製品の製造ロット番号または個体識別番号、中間部品の製造ロット番号、および購入部材の製造ロット番号とを紐付けて製造履歴情報蓄積手段に格納する情報管理手段と、
前記親子関係テーブルを利用者の指示に従って定義・編集し、製造履歴情報蓄積手段に格納する親子関係テーブル定義手段と、
指定された製造ロット番号または個体識別番号を検索キーとして、前記親子関係テーブルに基づいて前記製造履歴情報蓄積手段に蓄積された情報と親子関係テーブルから中間部品と購入部材に関する情報を順次検索し、さらに指定された工程の表示要求項目のみに編集する情報検索手段と、
を備えることを特徴とする製造履歴情報管理装置。
【請求項２】
製品の製造ラインを構成する複数工程の製造に関する情報を管理する製造履歴情報管理装置の方法において、
工程単位に収集する製造に関する情報の情報項目と対応付けて、部材や中間部品とそれらを構成要素とする中間部品や製品との親子関係を親子関係テーブルに予め定義・編集して、データベースに格納し、
工程単位に製造に関する情報を収集する過程と、
収集した情報と製品の製造ロット番号または個体識別番号、中間部品の製造ロット番号、および購入部材の製造ロット番号とを紐付けてデータベースに蓄積する過程と、
指定された製造ロット番号または個体識別番号を検索キーとして、親子関係テーブルに基づいて前記製造履歴情報蓄積手段に蓄積された製造履歴情報から中間部品と購入部材に関する情報を順次検索し、さらに指定された工程の表示要求項目のみに編集する過程と、
編集された結果を表示する過程と、
を含むことを特徴とする製造履歴情報管理方法。
【発明の詳細な説明】
【技術分野】
【０００１】
本発明は、部材の成形、加工、または組立を行う複数の作業工程を順次経て製品を製造する製造ラインにおいて、各作業工程から収集した製造に関する情報を蓄積し、提示する製造履歴情報管理装置および方法に関するものである。
【背景技術】
【０００２】
本発明が対象とする加工・組立型製造工場（部材の成形、加工、または組立を行う複数の作業工程を順次経て製品を製造）の工程構成は、購入部材を加工または成形して中間部品を製造する工程、それらの中間部品と購入部材を組み合わせて新たな中間部品を製造する工程、およびそれらの中間部品と購入部材を組み合わせて製品に仕上げる工程が階層的に連携された構成になっている。
【０００３】
一般的に、各工程では製造管理番号（どの製品をいくつ製造するかの指示の管理番号のため製造指示番号とも呼ばれる。また、同じ条件で製造される単位でもあるので製造ロット番号にも代用される）を付与して、製造が行われる。製造管理番号は、製品や中間部品毎に１製造単位の数量などが異なることから製品や中間部品毎に異なる番号が付与されるのが一般的である。
【０００４】
このような製造形態の中で、製品出荷後の製品不具合によるクレーム(苦情)や工場内の検査工程で発生した不良に対する原因の特定や原因特定後の製品への影響範囲の特定を行うためには、製品および製品を構成している中間部品の各製造工程において、以下のような製造にかかわる情報を何らかの手段により蓄積しておき、使用された部品構成に従って蓄積した情報を辿っていく必要がある。
【０００５】
（１）作業者に関する情報：
当該製品（および製品を構成する部材）の製造にかかわった作業者の氏名、識別      番号など
（２）設備（機械、冶工具、作業台など）に関する情報：
当該製品（および製品を構成する部材）の製造に使用した設備の名称、識別番号      、動作設定値、動作状態値など
（３）部材（部品、材料、原料など）に関する情報：
当該製品（および製品を構成する部材）の製造に使用した部材の型式、製造ロッ      ト番号など
（４）作業方法（手順、条件、環境など）に関する情報：
当該製品の製造時の作業順番、作業工程付近の温湿度、パーティクルカウンタ値      など
（５）検査結果に関する情報：
当該製品（および製品を構成する部材）の検査良否、不良内容、特性試験値、不      良修正内容など
従来は、各製造工程において上述した情報の中で経験上重要と思われる主要な情報項目のみを日報や専用記録票に手書きで記載することで蓄積・管理していた。
【０００６】
しかし、このような方法では、多くの部品数、作業工程数がある製造ラインの場合、膨大な時間と手間がかかり、限られた時間で対応しようとすると、情報の抽出間違えや不足などが発生し、不良の原因や不良原因の製品への影響範囲の特定精度も悪くなるという問題があった。
【０００７】
このような問題を解決するために、下記特許文献１では、機種（製品種類）や品質特性（不具合現象など）を指定することにより、品質特性に関係のある生産工程、部品を部品構成に従って階層的に並べた品質特性系統図を提示する方法が提案されている。
【０００８】
しかしながら、これはあくまで不良現象を発生させる可能性のある生産工程や部品の候補を提示するものであり、実際の原因を特定するには、現場の詳細情報を収集して、さらなる候補の絞込みのための調査・分析が必要となる。また、製品の不良となった原因の部品が複数の製品に共通で利用される場合の原因特定が難しいという問題もある。
【０００９】
これらの問題を解決するために、特許文献２では、部材情報や中間部品情報、さらに、製品の情報をデータベースに蓄積・管理し、これらの情報を製造ロット番号をキーにして順次辿ることで指定した製品ロットに使用された中間部品ロット、購入部材ロットの情報一覧、および指定した購入部材ロットを使用した中間部品ロット、製品ロットの情報一覧を提示する方法が提案されている。
【先行技術文献】
【特許文献】
【００１０】
【特許文献１】特開２００３−１６２３１１号公報
【特許文献２】特開２００６−１７２０１４号公報
【発明の概要】
【発明が解決しようとする課題】
【００１１】
しかしながら、上記特許文献２に記載された従来技術では、中間部品データベースがどの中間部品も共通に蓄積・管理する構造になっているため、中間部品毎に製造情報項目が異なるような場合には、ここで提案されている中間部品データベースとは別に中間部品名称や中間部品ロット番号を主キーとして蓄積・管理することになり、データの蓄積・管理、および検索の処理が煩雑になるという問題がある。
【００１２】
さらに、一般的な加工・組立型製品の部品構成は、特許文献２に示されているような製品、中間部品、購入部材のきれいな３階層構成にはならず、製品は中間部品だけではなく購入部材が直接使われたり、中間部品も購入部材だけではなく別の中間部品が使われたりするなど、階層構成は製品や製造方法によって異なる。
【００１３】
そのため、提案されているデータベース構造で実現すると、製品データベースの使用中間部品名称、使用中間部品ロット番号の項目に使用購入部材名称、使用購入部材ロット番号を混在して格納したり、中間部品情報の使用購入部材名称、使用購入部材ロット番号の項目に使用中間部品名称、使用中間部品ロット番号」を混在して格納したりすることになるため、製造ロット番号の種類を判別しながら階層を追うことになり、検索する処理が複雑になるという問題がある。
【００１４】
また、検索・表示される製造履歴情報は、指定した製品ロットで使用された中間部品ロット、購入部材ロットの情報一覧、または指定した購入部材ロットを使用した中間部品ロット、製品ロットの情報一覧を順を追ってすべて提示する方法であるため、部品構成の階層が深くなったり、上述したように製品に中間部品だけではなく購入部材が直接使われたり、中間部品に購入部材だけではなく別の中間部品が使われたりするような場合は、表示列が増えたり、歯抜けになったりして見難い表示になってしまうという問題がある。
【００１５】
本発明は、上記課題を解決するためになされたものであり、その目的とするところは、製品の部品構成の階層が多い場合、または部品構成が製品、中間部品、購入部材のきれいな３階層構成でない場合においても、不良原因の特定および不良原因の製品への影響範囲の特定が迅速かつ精度良くできることを支援する製造履歴情報管理装置および方法を提供することにある。
【課題を解決するための手段】
【００１６】
上記課題を解決するために本発明の製造履歴情報管理装置は、製品の製造ラインを構成する複数工程の製造に関する情報を管理する製造履歴情報管理装置において、前記情報を収集する工程情報収集手段と、前記工程情報収集手段が工程単位に収集した情報と製品の製造ロット番号または個体識別番号、中間部品の製造ロット番号、および購入部材の製造ロット番号とを紐付けて蓄積するとともに、前記工程情報収集手段で収集する情報項目と対応付けて、部材や中間部品とそれらを構成要素とする中間部品や製品との親子関係を予め定義した親子関係テーブルを持つ製造履歴情報蓄積手段と、前記情報を管理・制御する製造履歴情報管理制御手段と、製造情報を表示する製造履歴情報表示手段と、を備え、前記製造履歴情報管理制御手段は、前記工程情報収集手段が工程単位に収集した情報と製品の製造ロット番号または個体識別番号、中間部品の製造ロット番号、および購入部材の製造ロット番号とを紐付けて製造履歴情報蓄積手段に格納する情報管理手段と、前記親子関係テーブルを利用者の指示に従って定義・編集し、製造履歴情報蓄積手段に格納する親子関係テーブル定義手段と、指定された製造ロット番号または個体識別番号を検索キーとして、前記親子関係テーブルに基づいて前記製造履歴情報蓄積手段に蓄積された情報と親子関係テーブルから中間部品と購入部材に関する情報を順次検索し、さらに指定された工程の表示要求項目のみに編集する情報検索手段と、を備えることを特徴とする。
【００１７】
また、本発明の製造履歴情報管理方法は、製品の製造ラインを構成する複数工程の製造に関する情報を管理する製造履歴情報管理装置の方法において、工程単位に収集する製造に関する情報の情報項目と対応付けて、部材や中間部品とそれらを構成要素とする中間部品や製品との親子関係を親子関係テーブルに予め定義・編集して、データベースに格納し、
工程単位に製造に関する情報を収集する過程と、収集した情報と製品の製造ロット番号または個体識別番号、中間部品の製造ロット番号、および購入部材の製造ロット番号とを紐付けてデータベースに蓄積する過程と、指定された製造ロット番号または個体識別番号を検索キーとして、親子関係テーブルに基づいて前記製造履歴情報蓄積手段に蓄積された製造履歴情報から中間部品と購入部材に関する情報を順次検索し、さらに指定された工程の表示要求項目のみに編集する過程と、編集された結果を表示する過程と、を含むことを特徴とする。
【発明の効果】
【００１８】
本発明の製造履歴情報管理方法および装置によれば、製品出荷後の製品不具合によるクレーム(苦情)や工場内の検査工程で発生した不良に対する原因の特定、不良原因の製品への影響範囲の特定が迅速かつ精度良くできるという効果がある。
【図面の簡単な説明】
【００１９】
【図１】本発明の実施形態に係る製造履歴情報管理装置の構成を示すブロック図である。
【図２】本発明の実施形態に係る製造履歴情報管理装置の製造履歴情報蓄積手段の製造履歴情報のデータ管理形態の例を示す図である。
【図３】本発明の実施形態に係る製造履歴情報管理装置の製造履歴情報蓄積手段の親子関係テーブルのデータ管理形態の例を示す図である。
【図４】本発明の実施形態に係る製造履歴情報管理装置の製造履歴情報管理制御手段による製品ロットから部材情報を検索する場合の流れと結果の例を示す図である。
【図５】本発明の実施形態に係る製品ロットから部材情報を検索した場合の表示例を示す図である。
【図６】本発明の実施形態に係る製造履歴情報管理装置の製造履歴情報管理制御手段による部材情報から製品ロットを検索する場合の流れと結果の例を示す図である。
【図７】本発明の実施形態に係る部材情報から製品ロットを検索した場合の表示例を示す図である。
【発明を実施するための形態】
【００２０】
以下、本発明の実施の形態について、詳細に説明する。
図１は、本発明の実施形態に係る製造履歴情報管理装置の構成を示すブロック図である。図１において本発明の実施形態に係る製造履歴情報管理装置は、バス１００を介して製造履歴情報管理制御手段２００、製造履歴情報蓄積手段３００、製造履歴情報表示手段４００、および、第１の情報取得手段１１０〜第４の情報取得手段１４０が接続される構成である。そして製造履歴情報管理制御手段２００は、一般の情報処理装置にあてはめれば、プログラムによって制御される中央制御装置ユニットに相当し、また製造履歴情報蓄積手段３００はＲＡＭ（Random Access Memory）に相当し、製造履歴情報表示手段４００はディスプレイ(出力装置)に相当し、さらに第１の情報取得手段１１０〜第４の情報取得手段１４０は入力装置に相当する。なお、製造履歴情報管理制御手段２００を制御するためのプログラムを格納するプログラム格納部は図１には示していないが、製造履歴情報管理制御手段２００内に備えられているものとする。
【００２１】
ここで第１の情報取得手段１１０〜第４の情報取得手段１４０の構成について説明すると、たとえば第１の情報取得手段１１０は、製造にかかわる作業工程１に配置されており、工程情報収集手段１１２および製品、作業者、設備、部材、製造方法などの製造にかかわる情報の記憶部（以下、単に、"記憶部"と称する）１１４を備えている。記憶部１１４は、図示していないが作業工程１に配置された工程端末(パソコン)を使って工程作業従事者(図示せず)が作業に従事する過程で作業工程における製品、部品、設備、作業者などの製造にかかわる情報を入力するようにし、入力された上記製造にかかわる情報は工程端末(パソコン)と情報取得手段１１０とのインタフェース(図示せず)を経て記憶部１１４に記憶される。
【００２２】
まず、製造履歴情報管理制御手段２００における情報管理手段２０１が、プログラムに基づいて第１の情報取得手段１１０から情報を取得するための制御を実行すると、第１の情報取得手段１１０に係る工程情報収集手段１１２は、記憶部１１４に記憶されている作業工程１における製品、作業者、設備、部材、製造方法などの製造にかかわる情報を収集し、収集した上記製造にかかわる情報を製造履歴情報管理制御手段２００における情報管理手段２０１にバス１００を経由して伝送する。製造履歴情報管理制御手段２００における情報管理手段２０１は、上記製造にかかわる情報を製造履歴情報として管理するために製品の製造ロット番号や個体識別番号などに紐付けて製造履歴情報蓄積手段３００に格納して管理する。
【００２３】
同様に、製造履歴情報管理制御手段２００における情報管理手段２０１が、プログラムに基づいて第３の情報取得手段１３０から情報を取得するための制御を実行すると、第３の情報取得手段１３０に係る工程情報収集手段１３２は、記憶部１３４に記憶されている検査工程１における製品、作業者、設備、部材、製造(検査)方法などの検査にかかわる情報および製品の検査良否、不良現象などの検査結果情報を収集し、収集した上記検査にかかわる情報等を製造履歴情報管理制御手段２００における情報管理手段２０１にバス１００を経由して伝送する。製造履歴情報管理制御手段２００における情報管理手段２０１は、上記検査にかかわる情報等を製造履歴情報として管理するために製品の製造ロット番号や個体識別番号などに紐付けて製造履歴情報蓄積手段３００に格納して管理する。
【００２４】
なお、上記においては第２の情報取得手段１２０は図１では作業工程ｎと表示し、第４の情報取得手段１４０は図１では検査工程ｋと表示して、作業工程２，・・，(ｎ−１)および検査工程２，・・，(ｋ−１)に係る中間の工程についての表示をそれぞれ省略している。なお検査工程は作業工程の合間に挿入される場合が多いことから一般的にはｎ≧ｋに設定される。これ以降、作業工程1，・・，(ｎ−１)および検査工程1，・・，(ｋ−１)の各工程を単に工程と呼ぶ。
【００２５】
上記において紐付け管理は、リレーショナルデータベースを使用して製品の製造ロット番号や個体識別番号などを主キーとして管理するような方法でも良い。また製品の製造ロット番号や個体識別番号などと各種製造(検査含む)情報を紐付けられれば、リスト構造などの独自のデータベース構成で管理することも可能である。
【００２６】
一例として、製品の管理Ｎo.（製造ロットＮｏ.）に各種製造(検査含む)情報を紐付けるデータ管理形態の例を図２に示す。ここでは、製造工程として製品組立工程、中間部品Ａ組立工程、中間部品Ｂ組立工程、および購入部材受入工程があり、それぞれの製造工程は複数の工程で構成されている例を示している。製造工程は、同一の管理Ｎo.で作業が行われる一連の工程のグループとしている。
【００２７】
製品組立工程、中間部品Ａ組立工程、中間部品Ｂ組立工程の製造工程においては、それぞれ複数ある工程のうち、組立Ｎo.１工程、検査Ｎo.１工程の２つを示し、それらの一部のデータを示している。また、購入部材受入工程の製造工程においては、複数ある工程のうち、部材受入Ｎo.１工程を示し、その一部のデータを示している。
【００２８】
例えば、製品組立工程では、製造ロットＮo.がINV0001の製品は、組立Ｎo.１工程で製造ロットＮo.がML0001の中間部品Ａが使用され、検査Ｎo.１工程は作業者Ａさんが行い、不良数は5であることを示している。中間部品Ａ組立工程、中間部品Ｂ組立工程の製造工程も同様な内容を示している。
【００２９】
また、製造履歴情報管理制御手段２００における親子関係テーブル定義手段２０２は、プログラムに基づいて、製造履歴情報蓄積手段３００に蓄積されている製造履歴情報の項目を対応付けすることで購入部材や中間部品とそれらを使用する中間部品や製品の親子関係を定義する親子関係テーブルを本装置利用者の指示に従って定義・編集することができる。
【００３０】
この親子関係テーブルの定義例を前記図２に示した製造履歴情報のデータ管理形態の例を使って図３に示す。親子関係テーブルでは、製品、中間部品、購入部材を製造する工程の管理Ｎo.の情報項目の名称（または識別番号）を子情報項目に定義し、それらを使用している工程における部材の製造ロットＮo.の情報項目の名称（または識別番号）を親情報項目に定義する。
【００３１】
図３の例では、まず、製品には中間部品Ａが使われていることを親子関係テーブルで具体的に示すために、１行目の親情報項目に「製品組立工程の組立Ｎo.１工程の中間部品ＡロットＮo.」、子情報項目に「中間部品Ａ組立工程の組立Ｎo.１工程の管理Ｎo.」を定義し、２行目の親情報項目に「製品組立工程の組立Ｎo.１工程の中間部品ＡロットＮo.」、子情報項目に「中間部品Ａ組立工程の検査Ｎo.１工程の管理Ｎo.」を定義している。
【００３２】
この例では、子情報項目として同一製造工程内の異なる工程の管理Ｎo.を定義しているため２行となっているが、製造工程に含まれる工程は同一管理Ｎo.で一連に作業される工程としていることから子情報項目を１つにまとめて「中間部品Ａ組立工程の管理Ｎo.」のように同一製造工程内の異なる工程の管理Ｎo.を集約した定義も可能とする。
【００３３】
次に、中間部品Ａには中間部品Ｂと購入部材１が使われいることを親子関係テーブルで具体的に示すために、３行目の親情報項目に「中間部品Ａ組立工程の組立Ｎo.１工程の中間部品ＢロットＮo.」、子情報項目に「中間部品Ｂ組立工程の組立Ｎo.１工程の管理Ｎo.」を定義し、４行目の親情報項目に「中間部品Ａ組立工程の組立Ｎo.１工程の中間部品ＢロットＮo.」、子情報項目に「中間部品Ｂ組立工程の検査Ｎo.１工程の管理Ｎo.」を定義し、５行目の親情報項目に「中間部品Ａ組立工程の組立Ｎo.１工程の購入部材１ロットＮo.」、子情報項目に「購入部材受入工程の部材受入Ｎo.１工程の管理Ｎo.」を定義している。
【００３４】
この例も子情報項目として同一製造工程内の異なる工程の管理Ｎo.を３行と４行に分けてを定義しているが、上述したように子情報項目を１つにまとめて「中間部品Ｂ組立工程の管理Ｎo.」のように同一製造工程内の異なる工程の管理Ｎo.を集約した定義も可能とする。
【００３５】
次に、中間部品Ｂには購入部材２が使われいることを親子関係テーブルで具体的に示すために、６行目の親情報項目に「中間部品Ｂ組立工程の組立Ｎo.１工程の購入部材２ロットＮo.」、子情報項目に「購入部材受入工程の部材受入Ｎo.１工程の管理Ｎo.」を定義している。
【００３６】
次に、製造履歴情報管理制御手段２００における情報検索手段２０３は、本装置利用者が製造履歴情報表示手段４００などを利用して指示される製品の製造ロット番号または個体識別番号、または中間部品の製造ロット番号を出発点として、親子関係テーブルに基づいて、使用されている中間部品ロットと購入部材ロットに関する製造履歴情報を順次検索していく。そして、その検索結果を製造履歴情報表示手段４００に表示する。
【００３７】
このとき、検索したすべての製造履歴情報を表示するのではなく、本装置利用者が製造履歴情報表示手段４００などを利用して指示する表示したい工程の情報項目のみ表示するように項目を編集する。
【００３８】
製造履歴情報蓄積手段３００は、製造工程が複数の工程で構成され、各工程の情報項目は、その工程に関係する製品や部品の種類ごとに異なる情報項目が蓄積されている。また、製品とその製品を構成する中間部品、部材との関係は親子関係テーブルで予め定義することにより、検索が迅速かつ精度良くできる。
【００３９】
従来の製造履歴情報蓄積手段（図示せず）では、製品、中間部品、部材、設備、検査結果などの製造情報がそれぞれ蓄積されたデータベースと製造ロット番号や工程情報とを紐付けて蓄積することになる。所望する製造情報を検索する場合、製品や部品の種類ごとに情報項目が異なるため、検索条件が複雑となるという問題がある。
【００４０】
図４で、製品の管理Ｎo.を指定して構成する部材に関する製造履歴情報を検索・表示する例について説明する。ここでは、製造ロットＮo.INV0001の製品が使用している購入部品のロットＮo.と部材名およびメーカを知りたい場合に、製品の管理Ｎo.にINV0001、表示要求項目に「製品組立工程の組立Ｎo.１工程の管理Ｎo.と検査Ｎo.１工程の作業者」、「購入部材受入工程の部材受入Ｎo.１工程の管理Ｎo.と部材名およびメーカ」が指定された例で説明する。
【００４１】
このとき、まず、製造履歴情報管理制御手段２００における情報検索手段２０３は、製品組立工程内の工程において管理Ｎo.INV0001に該当する製造履歴情報をすべて検索する。
【００４２】
次に、製品組立工程の組立Ｎo.１工程の中間部品ＡロットＮo.が、親子関係テーブルに親情報項目として定義されており、その子情報項目が中間部品Ａ組立工程の組立Ｎo.1工程および検査Ｎo.1工程の管理Ｎo.であり、製品の管理Ｎo.INV0001の中間部品ＡロットＮo.がML0001なので、中間部品Ａ組立工程内の工程において管理Ｎo.ML0001に該当する製造履歴情報をすべて検索する。
【００４３】
次に、中間部品Ａ組立工程の組立Ｎo.1工程の中間部品ＢロットＮo.が、親子関係テーブルに親情報項目として定義されており、その子情報項目が中間部品Ｂ組立工程の組立Ｎo.1工程および検査Ｎo.1工程の管理Ｎo.であり、中間部品Ａの管理Ｎ
o.ML0001の中間部品ＢロットＮo.がBL0001なので、中間部品Ｂ組立工程内の工程において管理Ｎo.BL0001に該当する製造履歴情報をすべて検索する。
【００４４】
次に、中間部品Ａ組立工程の組立Ｎo.1工程の購入部材１ロットＮo.が、親子関係テーブルに親情報項目として定義されており、その子情報項目が購入部材受入工程の部材受入Ｎo.1工程の管理Ｎo.であり、中間部品Ａの管理Ｎo.ML0001の購入部材１ロットＮo.がWL0001なので、購入部材受入工程内の工程において管理Ｎo.WL0001に該当する製造履歴情報をすべて検索する。
【００４５】
次に、中間部品Ｂ組立工程の組立Ｎo.1工程の購入部材２ロットＮo.が、親子関係テーブルに親情報項目として定義されており、その子情報項目が購入部材受入工程の部材受入Ｎo.1工程の管理Ｎo.であり、中間部品Ｂの管理Ｎo.BL0001の購入部材２ロットＮo.がDL0001なので、購入部材受入工程内の工程において管理Ｎo.DL0001に該当する製造履歴情報をすべて検索する。この検索の結果、本装置内部では図４に示すようにそれぞれの工程の製造履歴情報が抽出される。
【００４６】
次に、先に表示要求項目に指定された「製品組立工程の組立Ｎo.１工程の管理Ｎo.と検査Ｎo.１工程の作業者」、「購入部材受入工程の部材受入Ｎo.１工程の管理Ｎo.と部材名およびメーカ」の項目のみ表示するように編集して、製造履歴情報表示手段４００に表示する。その表示形態の例を図５に示す。
【００４７】
図５の例では、管理Ｎo.INV0001の製品は、ロットＮo.WL0001（購入部材１、Ａ社製）とロットＮo.DL1001（購入部材２、Ｂ社製）の購入部材が使用されていることが容易にわかる。
【００４８】
このようにして、製品または中間部品の管理Ｎo.を指定し、それに該当する製造履歴情報項目の中から任意に指定した項目を表示できるようにしたことで、着眼したい項目だけ表示されるため視認性がよくなり迅速な製造履歴情報の把握が可能となる。
【００４９】
例えば、クレームが発生している複数の製品管理Ｎo.を指定して、購入部材ロットＮo.や中間部品ロットＮo.を表示要求項目として指定すると他の余分な示情報項目が除
かれ、共通に使用している購入部材ロットＮo.や中間部品のロットＮo.などが容易にわかるため、部材のロット不良等が迅速に判断可能となる。
【００５０】
図６で、上述の例とは逆に、部材の製造情報の条件を指定してそれを使用している中間部品、製品に関する製造履歴情報を検索・表示する例について説明する。
ここでは、ロットＮo.WL0001の購入部材を使用している製品の管理Ｎo.と製品組立工程の検査Ｎo.１工程の製造履歴情報を知りたい場合に、購入部材のロットＮo.にWL0001、表示要求項目に「購入部材受入工程の部材受入Ｎo.１工程の管理Ｎo.と部材名およびメーカ」、「製品組立工程の組立Ｎo.１工程の管理Ｎo.と検査Ｎo.１工程の作業者、不良数」が指定された例で説明する。
【００５１】
このとき、まず、製造履歴情報管理制御手段２００における情報検索手段２０３は、製造ロットＮo.WL0001に該当する購入部材の購入部材受入工程内の工程の製造履歴情報をすべて検索する。
【００５２】
次に、購入部材受入工程の部材受入Ｎo.１工程の管理Ｎo.が、親子関係テーブルに子
情報項目として定義されており、その親情報項目が中間部品Ｂ組立工程の組立Ｎo.1工程の購入部材２ロットＮo.であり、購入部材の管理Ｎo.がWL0001なので、中間部品Ｂ組立工程の組立Ｎo.1工程の購入部材１ロットＮo.がWL0001となっている中間部品Ｂ組立工程における作業工程の製造履歴情報をすべて検索する。この例では、該当なしとなる。
【００５３】
さらに、購入部材受入工程の部材受入Ｎo.１工程の管理Ｎo.が、親子関係テーブルに子情報項目として定義されてており、その親情報項目が中間部品Ａ組立工程の組立Ｎo.1工程の購入部材１ロットＮo.であり、購入部材の管理Ｎo.がWL0001なので、中間部品Ａ組立工程の組立Ｎo.1工程の購入部材１ロットＮo.がWL0001となっている中間部品Ａ組立工程内における工程の製造履歴情報をすべて検索する。この例では、中間部品Ａ組立工程の管理Ｎo.ML0001の中間部品の製造履歴情報が検索できる。
【００５４】
次に、中間部品Ａ組立工程の組立Ｎo.1工程の管理Ｎo.が、親子関係テーブルに子情報項目として定義されており、その親情報項目が製品組立工程の組立Ｎo.1工程の中間部品ＡロットＮo.であり、中間部品Ａ組立工程の管理Ｎo.がML0001なので、製品組立工程の組立Ｎo.1工程の中間部品ＡロットＮo.管理Ｎo.がML0001となっている製品組立工程内における工程の製造履歴情報をすべて検索する。この例では、製品組立工程の管理Ｎo.INV0001とINV0002の製品の製造履歴情報が検索できる。この検索の結果、本装置内部では図６に示すようにそれぞれの工程の製造履歴情報が抽出される。
【００５５】
次に、表示要求項目に指定された「購入部材受入工程の部材受入Ｎo.１工程の管理Ｎo.と部材名およびメーカ」、「製品組立工程の組立Ｎo.１工程の管理Ｎo.と検査Ｎo.１工程の作業者、不良数」の項目のみ表示するように編集して、製造履歴情報表示手段４００に表示する。その表示形態の例を図７に示す。
【００５６】
図７の例では、ロットＮo.WL0001の購入部材は、製品管理Ｎo.がINV0001（検査作業者：Ａさん、不良数：5）とINV0002（検査作業者：Ｂさん、不良数：3）に使用されていることが容易にわかる。
【００５７】
このようにして、中間部品または購入部材の情報項目値を指定し、それに該当する製造履歴情報項目の中から任意に指定した項目を表示できるようにしたことで、着眼したい項目だけ表示されるため視認性がよくなり迅速な製造履歴情報の把握が可能となる。
【００５８】
例えば、ロット不良の購入部材のロットＮo.を指定して、中間部品の管理Ｎo.や製品の管理Ｎo.を表示要求項目として指定すると他の余分な情報項目が除かれ、不良の購入部材ロットＮo.を使用している中間部品のロットＮo.や製品のロットＮo.などがダイレクトにわかるため、不良原因の製品への影響範囲が迅速に判断可能となる。
【符号の説明】
【００５９】
１００  バス
１１０  第１の情報取得手段
１１２  工程情報収集手段
１１４  記憶部
１２０  第２の情報取得手段
１２２  工程情報収集手段
１２４  記憶部
１３０  第３の情報取得手段
１３２  工程情報収集手段
１３４  記憶部
１４０  第４の情報取得手段
１４２  工程情報収集手段
１４４  記憶部
２００  製造履歴情報管理制御手段
２０１  情報管理手段
２０２  親子関係テーブル定義手段
２０３  情報検索手段
３００  製造履歴情報蓄積手段
４００  製造履歴情報表示手段
【図１】
2011107999.tif 000003
【図２】
2011107999.tif 000004
【図３】
2011107999.tif 000005
【図４】
2011107999.tif 000006
【図５】
2011107999.tif 000007
【図６】
2011107999.tif 000008
【図７】
2011107999.tif 000009